(57)【要約】【課題】内容物を収容する内容器と、その内容器を収容する外容器を有する二重構造のスクイズ容器において、内容器と外容器の形状を問わず、内容器の外容器への装着を容易にする。【解決手段】内容物を収容する内容器２０と該内容器２０を収容する外容器３０とで二重構造をなす容器本体１０、及び容器本体１０に着脱自在に装着されて内容物を吐出するノズル部４０を備えたスクイズ容器１であって、内容器２０と外容器３０が、それぞれ、各々の容器本体から突出した口部２１、３２を有し、内容器２０は口部２１の先端部に間欠的に形成されたフランジ２２を有する。ノズル部４０は、その基部に第１の筒状壁４１とその内側に形成された第２の筒状壁４２とを有し、これらの間に、外容器３０の口部３２の先端部と内容器２０の口部２１の先端部との挿入を可能とする。【選択図】図１
2011240974.tif 000002
【特許請求の範囲】
【請求項１】
内容物を収容する内容器と該内容器を収容する外容器とで二重構造をなす容器本体、及び容器本体に着脱自在に装着されて内容物を吐出するノズル部を備えたスクイズ容器であって、
内容器と外容器が、それぞれ各々の容器本体から突出した口部を有し、
内容器は口部の先端部に間欠的に形成されたフランジを有し、
ノズル部はその基部に第１の筒状壁とその内側に形成された第２の筒状壁とを有し、
内容器を外容器に装着した状態で、前記フランジが、外容器の口部の先端部からノズル部側に突出し、ノズル部の基部の第１の筒状壁と第２の筒状壁との間に、外容器の口部の先端部と内容器の口部の先端部とが挿入されるスクイズ容器。
【請求項２】
内容器の口部の先端部において、フランジに対向する部分には、フランジが形成されていない請求項１記載のスクイズ容器。
【請求項３】
フランジが、内容器の口部の先端縁に向かって肉薄になるテーパーを有する請求項１又は２記載のスクイズ容器。
【請求項４】
外容器が、スクイズ可能な可撓性の面を有する蓋と、非スクイズ性の硬質材料で形成された容器本体で構成されている請求項１又は２記載のスクイズ容器。
【発明の詳細な説明】
【技術分野】
【０００１】
本発明は、二重構造を有するスクイズ容器に関する。
【背景技術】
【０００２】
その向きに関わらず内容物を吐出できる容器として、容器本体が、内容物を収容する内容器と、内容器を収容する外容器との二重構造を有し、外容器の押圧により内容器から内容物が吐出し、内容物の吐出に伴い内容器が潰れていくようにしたスクイズ容器がある。
【０００３】
このような二重構造を有するスクイズ容器において、内容器を外容器に着脱自在に装着させることができ、レフィル容器として使用できるものとしては、内容器が口部全周にフランジを有し、内容器を外容器の口部から挿入して、そのフランジを外容器の口部端部に掛止させ、外容器と重ね合わせた内容器の口部に、吐出弁のついた中間部材を被せ、さらにその上から吐出口を備えた部材を被せて外容器と螺合させることによりこれらを固定するものや（特許文献１）、外容器の底部を、逆止弁付のボトムキャップで開閉可能とし、吐出ノズルを装着した内容器を、外容器の底部から挿入し、内容器と外容器の口部同士を螺合させて固定するもの（特許文献２）などがある。
【先行技術文献】
【特許文献】
【０００４】
【特許文献１】特開２００２−１１４２７９号公報
【特許文献２】特開平５−１６９５０号公報
【発明の概要】
【発明が解決しようとする課題】
【０００５】
しかしながら、特許文献１のように、内容器と外容器の固定に中間部材を使用するものは、内容器の装着作業が煩雑である。また、特許文献２のように内容器を外容器内に挿入した後、それらを螺合するものは、外容器内で内容器を回転させなくてはならないから、それらの容器本体が回転体形状のものに限定される。
【０００６】
これに対し、本発明は、内容器と外容器の二重構造を有するスクイズ容器において、内容器と外容器の形状を問わず、簡便に内容器を外容器に装着できるようにすることを目的とする。
【課題を解決するための手段】
【０００７】
上述の目的を達成するため、本発明は、内容物を収容する内容器と該内容器を収容する外容器とで二重構造をなす容器本体、及び容器本体に着脱自在に装着されて内容物を吐出するノズル部を備えたスクイズ容器であって、
内容器と外容器が、それぞれ各々の容器本体から突出した口部を有し、
内容器は口部の先端部に間欠的に形成されたフランジを有し、
ノズル部はその基部に第１の筒状壁とその内側に形成された第２の筒状壁とを有し、
内容器を外容器に装着した状態で、前記フランジが、外容器の口部の先端部からノズル部側に突出し、ノズル部の基部の第１の筒状壁と第２の筒状壁との間に、外容器の口部の先端部と内容器の口部の先端部とが挿入されるスクイズ容器を提供する。
【発明の効果】
【０００８】
本発明のスクイズ容器によれば、内容器の口部の先端部に間欠的にフランジが形成されているので、内容器の口部は、フランジが形成されているにも関わらず容易に撓んで縮径する。したがって、外容器の容器本体の内側から外容器の口部に向かって内容器の口部を押し込むだけで、外容器の口部に内容器の口部を通すことができ、かつフランジが外容器の口部内を通って外容器の口部の外にでると、縮径していた内容器の口部が復元し、フランジが外容器の口部の先端部に掛止されるので、内容器が外容器に固定される。また、この内容器の装着操作を行ったスクイズ容器の使用者は、内容器の装着が完了した感覚を得ることができる。
加えて、ノズル部の基部には第１の筒状壁と第２の筒状壁とが形成されているので、内容器の口部の先端部のフランジが間欠的に形成されているにもかかわらず、内容器と外容器の口部を、第１の筒状壁と第２の筒状壁で挟み込むことにより確実に密封することができる。
【図面の簡単な説明】
【０００９】
【図１】図１は、実施例のスクイズ容器の斜視図(a)及び断面図(b)である。
【図２】図２は、実施例のスクイズ容器の口部の拡大断面図である。
【図３】図３は、スクイズ容器の部品図である。
【図４Ａ】図４Ａは、内容器を外容器に装着するときのフランジの作用の説明図である。
【図４Ｂ】図４Ｂは、内容器を外容器に装着するときのフランジの作用の説明図である。
【図５】図５は、ノズル部材に代えて充填用キャップを取り付けたスクイズ容器の斜視図(a)及び断面図(b)である。
【図６】図６は、実施例のスクイズ容器の使用方法の説明図である。
【図７】図７は、実施例のスクイズ容器のスクイズ時と復元時の作用の説明図である。
【発明を実施するための形態】
【００１０】
以下、図面を参照しつつ、本発明を具体的に説明する。
図１は、二剤式染毛剤等の吐出容器として使用される、本発明の一実施例のスクイズ容器１の斜視図（ａ）及びそのＸ−Ｘ断面図（ｂ）であり、図２は、その口部の拡大断面図であり、図３は、スクイズ容器１の部品図である。
【００１１】
このスクイズ容器１は、容器本体１０と、容器本体１０から内容物を吐出するノズル部４０を備えている。容器本体１０は、内容物を収容する内容器２０と、内容器２０を収容する外容器３０との二重構造を有する。
【００１２】
外容器３０は、外容器本体３１と蓋３５を有する。外容器本体３１は非可撓性の硬質樹脂材料で形成され、概略扁平な円筒形状を有し、その側面から口部３２がノズル部４０の基部に挿入可能に突出している。なお、本実施例において、外容器本体３１が概略扁平な円筒形状であるとは、その高さが底面の径よりも低いことをいう。上面３０ａと下面３０ｂはそれぞれわん曲していても良い。外容器３０の大きさは、好ましくは、片手の親指と残りの指で上面と下面を挟んでスクイズできるように、例えば、外径Ｄを６０〜１００ｍｍ、高さＨを外径Ｄの１／２〜４／５とすることが好ましい。
【００１３】
外容器本体３１の底部には、内容器２０と外容器３０との間に空気を流入させることを可能とする逆止弁５０が設けられている。
【００１４】
蓋３５は、その天面部３６がスクイズ可能な可撓性樹脂材料で形成され、周縁部３７が外容器本体３１の周縁部３３と螺合可能に形成されている。なお、蓋３５の周縁部３７と外容器本体３１の周縁部３３との螺合部分は、二条に分かれた外容器本体３１の周縁部３３ａ、３３ｂで蓋３５の周縁部３７を挟み込むように形成されており、外容器本体３１と蓋３５との気密性を向上させるものとなっている。また、蓋３５には、内容物を内容器２０に充填するときの充填量の目安となるように目盛３８が付されている。このような目盛３８は、外容器本体３１に付しても良いし、内容器２０に付けても良い。
【００１５】
このように本実施例では、外容器３０を硬質の外容器本体３１とスクイズ可能な蓋３５で構成し、その外形を扁平形状としているので、外容器３０を片手で把持し、その手の親指で蓋３５を押圧するだけで外容器３０を容易にスクイズすることが可能となり、スクイズ時にノズル部４０の位置がぶれにくくなるので、内容物を所期の位置に、位置ずれなく塗布することが容易となる。
【００１６】
また、外容器３０を、外容器本体３１と蓋３５との二部材で構成することにより、内容器２０の取り出しが容易となり、洗浄も容易となる。
【００１７】
内容器２０は、その本体部分が柔軟な樹脂材料から形成される。内容器２０も初期形状として概略扁平な円筒形状であり、その側面から口部２１が、外容器３０の口部３２に挿入可能に突出している。この内容器２０の口部２１の外径は、外容器３０の口部３２の内径に丁度嵌入する大きさに形成されている。
【００１８】
また、図２に示すように、内容器２０の口部２１の先端部には、間欠的にフランジ２２が形成されている。より具体的には、内容器２０の口部２１の先端縁に向かって肉薄になるようにテーパー２２ａが形成された３個のフランジ２２が等間隔で形成されている。各フランジ２２は、内容器２０の口部２１の外周の１／６〜１／１８周の長さで形成されている。また、各フランジ２２に対向する部分には、フランジが形成されていない。したがって、図４Ａ（ａ）に矢印で示すように、外容器３０の口部３２に、外容器３０の容器本体３１の内側から内容器２０の口部２１を押し込むと、同図（ｂ）に示すように、内容器２０の口部２１のフランジ２２の形成されていない部分が変形して縮径するので、容易に、内容器２０の口部２１を外容器３０の口部３２に通すことができる。さらに、図４Ｂに示すように、外容器３０の口部３２からフランジ２２が外に出ると、変形していた内容器２０の口部２１が復元し、フランジ２２が外容器２０の口部２１の先端部に掛止されて内容器２０が外容器３０に固定される。このため、この内容器２０の装着操作を行った本スクイズ容器の使用者は、内容器の装着の完了によりカチッという感覚を得ることができる。なお、本発明において、内容器２０の口部２１に設ける間欠的なフランジ２２の個数は、３個以上とすることが好ましく、より好ましくは３〜６個である。
【００１９】
一方、図２に示すように、ノズル部４０は、その基部に第１の筒状壁４１を有し、その内側面で外容器３０の口部３２と螺合することにより外容器３０に対して着脱自在となっている。このようにノズル部４０を着脱自在とすることにより、スクイズ容器１の洗浄が容易となるので好ましい。また、ノズル部４０の基部において、第１の筒状壁４１の内側には、第２の筒状壁４２が形成されており、内容器２０を外容器３０に装着した状態で、第１の筒状壁４１と第２の筒状壁４２との間に、外容器３０の口部３２の先端部と内容器２０の口部２１の先端部とが挿入され、それらが第１の筒状壁４１と第２の筒状壁４２とで挟み込まれる。特に、第２の筒状壁４２の基部が、内容器２０の口部２１の先端部を外容器３０の口部３２に押し付ける。したがって、本実施例のスクイズ容器１によれば、フランジ２２が間欠的に形成されているにもかかわらず、内容器２０と外容器３０の双方の口部の密封性が向上したものとなる。よって、本実施例によれば、前述のフランジ２２の作用と相俟って、外容器３０から内容器２０を取り外し、洗浄し、再度内容物を充填し、内容器２０を装着するという内容器２０のレフィル容器としての使用方法、あるいは、内容物が充填された詰め替え用の内容器２０をそれまでの内容器２０と交換するという内容器のレフィル容器としての使用法が可能となり、その場合の使い勝手を向上させることができる。
【００２０】
ノズル部４０において第２の筒状壁４２の内側には、内容器２０から内容物が吐出することを可能とする吐出弁５１が設けられている。吐出弁５１としては、３点弁、２点弁、片開きの弁等が設けられる。吐出弁５１の上流側には、後述する撹拌子６０が吐出弁５１に当たることを防止する格子５５が設けられている。
【００２１】
また、ノズル部４０は、その先端の開口端４３の周りにブラシ部４４を有している。なお、本発明においてブラシ部４４は省略してもよく、ノズル部４０を、例えば、先細のノズル状に構成してもよい。
【００２２】
本実施例において、内容器２０内には、撹拌用部材として、マグネティックスターラーの撹拌子６０が収容されている。撹拌用部材としては、金属球等を収容してもよいが、マグネティックスターラーの撹拌子６０を収容することにより、内容器２０内にヘッドスペースをほとんど残すことなく内容物を収容した場合でも、マグネティックスターラーを用いて内容物全体を速やかに均一に撹拌混合することが可能となるので好ましい。一方、マグネティックスターラーを使用しないことも可能である。即ち、内容器２０を外容器に取り付けた状態で手に持って振ることで内容物の撹拌混合は可能である。更に、内容器２０内にヘッドスペースをあけることで、手で振って撹拌するだけでも内容物を効果的に混合することができる。なお、本発明において、スクイズ容器を二剤式染毛剤の吐出容器として使用しない場合には、内容器２０内で内容物を混合撹拌するための構成は不要である。
【００２３】
本実施例のスクイズ容器１は、ノズル部材４０と交換可能に外容器３０に取り付けられる充填用キャップ７０を備えている。図５は、容器本体１０に充填用キャップ７０を取り付けた状態のスクイズ容器１の斜視図と断面図である。同図に示すように、充填用キャップ７０は、内容器２０内への内容物の充填を可能とする充填弁７１と空気抜き用チューブ７２を備えている。空気抜き用チューブ７２は、内容器２０内への内容物の充填時に内容器２０内の空気が抜けるようにするものである。
【００２４】
図６は、このスクイズ容器１の使用方法の説明図である。スクイズ容器１の使用に際しては、まず、容器本体１０に充填用キャップ７０を取り付け、図６（ａ）に示すように、二剤式染毛剤の第２剤が充填されたポンプ容器又はエアゾール容器８０の口部に充填用キャップ７０の開口端を押し当て、内容器２０に第２剤Ａ２を充填する。引き続き、同図（ｂ）に示すように、二剤式染毛剤の第１剤が充填されたポンプ容器又はエアゾール容器８１の口部に充填用キャップ７０の開口端を押し当て、内容器２０に第１剤Ａ１を充填する。次いで、充填用キャップ７０をノズル部材４０と付け替え、同図（ｃ）に示すように、マグネティックスターラー６１上でマグネティックスターラーの撹拌子６０を回転させ、内容器２０内の第１剤と第２剤を撹拌混合する。その後、同図（ｄ）に示すように、スクイズ容器１をスクイズし、第１剤と第２剤との混合物Ａを吐出させる。
【００２５】
このスクイズ時には、図７（ａ）に示すように、蓋３５が凹む。このとき、逆止弁５０により外容器３０内の空気は漏れないので、外容器３０内の内圧が上がり、内容器２０が押圧される。そこで、内容器２０内の内容物がノズル部４０内の吐出弁５１を通って吐出する。蓋３５への押圧を解除すると、蓋３５は元の形状に復元し、それに伴い外容器３０内が減圧になるが、図７（ｂ）に示すように逆止弁５０を通して内容器２０と外容器３０との間に外気が流入し、外容器３０内は常圧に戻る。一方、吐出弁５１により内容器２０内には空気が入ってこないため、内容器２０は内容物の吐出により潰れたままの形状を維持する。以降、同様に、蓋３５の押圧とその解除を繰り返すことにより、図７（ｃ）に示すように、内容物の吐出量に応じて内容器２０は潰れていき、最終的には図７（ｄ）に示すように、内容器２０の上半分が下半分と密着するように潰れる。
【００２６】
内容物の吐出が終了した後は、スクイズ容器１を、ノズル部４０、外容器本体３１、蓋３５及び内容器２０に分解することができるので、それらを洗浄し、図３に示すように組み立て、再使用することが可能となる。そして、内容器２０の再使用に際しては、間欠的フランジ２２により、容易に内容器２０を外容器３０に脱着することが可能となる。
【００２７】
以上、実施例のスクイズ容器１に基づいて本発明を説明したが、本発明のスクイズ容器は、種々のスクイズ容器に適用することができ、例えば、特許文献２に記載のように、外容器の底部が開閉可能となっており、外容器の底部から内容器を挿入するスクイズ容器にも適用することができる。
【産業上の利用可能性】
【００２８】
本発明のスクイズ容器は、二剤式染毛剤、二剤式接着剤、塗料、料理用クリーム等の種々の内容物の吐出容器として有用である。
【符号の説明】
【００２９】
１    スクイズ容器
１０    容器本体
２０    内容器
２１    内容器の口部
２２    フランジ
２２ａ  テーパー
３０    外容器
３１    外容器本体
３２    外容器の口部
３３    外容器本体の周縁部
３５    蓋
３６    蓋の天面部
３７    蓋の周縁部
４０    ノズル部（ノズル部材）
４１    第１の筒状壁
４２    第２の筒状壁
４３    開口端
４４    ブラシ部
５０    逆止弁
５１    吐出弁
５５    格子
６０    マグネティックスターラーの撹拌子
６１    マグネティックスターラー
７０    充填用キャップ
７１    充填弁
７２    空気抜き用チューブ
８０    第２剤のポンプ容器又はエアゾール容器
８１    第１剤のポンプ容器又はエアゾール容器
【図１】
2011240974.tif 000003
【図２】
2011240974.tif 000004
【図３】
2011240974.tif 000005
【図４Ａ】
2011240974.tif 000006
【図４Ｂ】
2011240974.tif 000007
【図５】
2011240974.tif 000008
【図６】
2011240974.tif 000009
【図７】
2011240974.tif 000010